(57)【要約】【課題】  対物レンズのフランジ下面への接着剤の入り込みを防止し、周囲温度の変化又は光ヘッド自体の温度変化に起因する接着剤の膨張又は収縮による影響を受けないようにする。【解決手段】  開示されるレンズホルダ１は、レンズ曲面の外周にフランジが形成された対物レンズが搭載され、接着剤により固着されるものである。このレンズホルダ１は、対物レンズのフランジの下面が当接されるレンズ搭載面２１ａ〜２４ａが形成されたレンズ搭載部２１〜２４と、接着剤が塗布される接着剤塗布部２５〜２８とを有し、レンズ搭載部２１〜２４と接着剤塗布部２５〜２８とは、少なくともレンズ搭載面２１ａ〜２４ａの位置では接続されていない。【選択図】  図１
2007184060.tif 000002
【特許請求の範囲】
【請求項１】
レンズ曲面の外周にフランジが形成された対物レンズが搭載され、接着剤により固着されるレンズホルダであって、
前記対物レンズの前記フランジの下面が当接されるレンズ搭載面が形成されたレンズ搭載部と、前記接着剤が塗布される接着剤塗布部とを有し、前記レンズ搭載部と前記接着剤塗布部とは、少なくとも前記レンズ搭載面の位置では接続されていないことを特徴とするレンズホルダ。
【請求項２】
前記レンズ搭載部は、前記対物レンズが挿入されるレンズ挿入穴の周囲に、複数形成されていることを特徴とする請求項１記載のレンズホルダ。
【請求項３】
前記接着剤塗布部は、前記レンズ挿入穴の周囲に形成された複数のレンズ搭載部の間に複数形成されていることを特徴とする請求項２記載のレンズホルダ。
【請求項４】
前記接着剤塗布部は、等間隔に形成されていることを特徴とする請求項３記載のレンズホルダ。
【請求項５】
前記接着剤塗布部は、前記対物レンズを構成する前記フランジの下面が前記レンズ搭載面に当接した状態において、前記レンズ挿入穴に対向した側面のうち上面となす辺及びその近傍のみが、前記フランジの側面に対向する部分と当接又は近接するように形成されていることを特徴とする請求項１乃至４のいずれかに記載のレンズホルダ。
【請求項６】
請求項１乃至５のいずれかに記載のレンズホルダを備えることを特徴とする対物レンズ駆動装置。
【請求項７】
請求項６記載の対物レンズ駆動装置を備えることを特徴とする光ヘッド。
【請求項８】
請求項７記載の光ヘッドを備えることを特徴とする光記録再生装置。
【発明の詳細な説明】
【技術分野】
【０００１】
本発明は、光ディスク等の光記録媒体にデータの記録又は再生を行う光ヘッドを構成する対物レンズが搭載されるレンズホルダ、対物レンズが搭載されたレンズホルダをフォーカス方向及びトラッキング方向に駆動する対物レンズ駆動装置、この対物レンズ駆動装置を備えた光ヘッド及びこの光ヘッドを備えた光記録再生装置に関する。
【背景技術】
【０００２】
近年では、光ヘッドを構成する対物レンズの素材として、主に光学的特性の安定、コストの低減、軽量化を目的として、オレフィン系樹脂（例えば、シクロオレフィン）、アクリル系樹脂（例えば、ＰＭＭＡ）、メタクリル系樹脂が用いられるようになっている。この種の対物レンズでは、機械的強度と信頼性を確保するため、レンズ曲面の外周に円環状のフランジ（外輪部）が形成されている。対物レンズはレンズホルダに搭載して用いるが、このレンズホルダは、上記対物レンズが置かれることにより上記対物レンズのフランジと共に上記対物レンズの光軸方向の位置決めを行うためのレンズ搭載面（円環部）と、このレンズ搭載面の外周から立ち上がりレンズ搭載面を囲む側壁とを有している。
【０００３】
対物レンズをレンズホルダに固定するには、対物レンズをそのフランジ下面をレンズホルダのレンズ搭載面上に接触させてレンズホルダ上に置いた後、対物レンズのフランジ側面とレンズホルダの側壁との間に接着剤を注入する。
【０００４】
光ヘッドを備えた光記録再生装置が自動車に搭載される場合、例えば、周囲温度が−２０〜＋７５℃の範囲において、対応可能なすべての光記録媒体が記録又は再生できる必要がある。また、最近の光記録再生装置では、光記録媒体にデータを記録する際の記録速度が高速化するとともに、上記レーザダイオードが高出力化しており、データ記録時の光ヘッド自体の発熱量が大きくなる傾向にある。このように、光ヘッドは、周囲温度ばかりでなく、自身の温度も大きく変化する。
【０００５】
対物レンズ等の光ヘッドの構成部品を固着する接着剤は、上記した周囲温度の変化及び光ヘッド自体の温度変化の影響を受けやすく、温度上昇により軟化、膨張し、また温度降下により硬化、収縮して、その形状を変化させる。上記対物レンズは、この接着剤の形状変化の影響を受けやすい。特に、対物レンズのフランジ下面とレンズホルダの対物レンズ搭載面との間隙に接着剤が入り込んでいる場合、この接着剤が周囲温度の変化又は光ヘッド自体の温度変化により膨張したり収縮したりすると、対物レンズの姿勢が変化してしまう。
【０００６】
光記録再生装置の使用時に、周囲温度の変化又は光ヘッド自体の温度変化により対物レンズの姿勢が変化すると、対物レンズの光軸とレーザダイオードの光軸とがずれて、光ヘッド全体の光学的収差が発生してしまう。これにより、レーザダイオードから出射される光ビームが光記録媒体のデータ記録面に正しく収束されず、光記録媒体にデータの記録又は再生を行うことができなくなるおそれがあった。
【０００７】
そこで、上記不都合を解決するために、従来のレンズホルダの中には、対物レンズのフランジと共に上記対物レンズの光軸方向の位置決めを行うための円環部と、対物レンズが置かれた際に上記フランジの側面と微少な隙間を形成するレンズ挿入穴の側壁とを有し、円環部上のレンズホルダの四隅に向かった対角位置に、光軸方向に窪み、円環部を径方向で分断する４個の凹部がそれぞれ形成されているものがある。このレンズホルダでは、上記４個の凹部の位置にそれぞれ対応した平面四隅に、レンズ挿入穴に向けて下面に傾斜を有する複数の接着溝がそれぞれ形成されている。また、このレンズホルダでは、レンズ挿入穴の外周でレンズホルダの平面に、４個の接着溝を分割するように４個の分割凹部がそれぞれ形成されている。
【０００８】
上記構成のレンズホルダのレンズ挿入穴に対物レンズを挿入すると、対物レンズの下球面がレンズホルダの中間穴の中に入り、対物レンズのフランジの下面が、レンズホルダの円環部の平面と当接することにより、レンズホルダに対する対物レンズの位置が決まる。そして、レンズホルダの４個の接着溝にそれぞれ接着剤を注入することにより対物レンズが接着固定される。ここで、レンズホルダの４個の接着溝にそれぞれ注入された接着剤は、対物レンズのフランジ側面とレンズホルダのレンズ挿入穴の側壁との隙間から周囲に拡散する（例えば、特許文献１参照。）。
【特許文献１】特許第３３１３２６５号公報（［００１８］〜［００７６］、図１３，図１４）
【発明の開示】
【発明が解決しようとする課題】
【０００９】
上記した特許文献１には、接着剤の対物レンズのフランジ下面とレンズホルダの対物レンズ搭載面との間隙への入り込みを防止するために、様々な工夫が記載されている。しかし、上記した特許文献１に記載されているレンズホルダは、その基本構造において、接着剤が注入される箇所の下方近傍に、対物レンズのフランジ下面が当接する円環部の平面が形成されており、接着剤を対物レンズのフランジ側面とレンズホルダのレンズ挿入穴の側壁との隙間から注入するものである。
【００１０】
従って、レンズホルダの４個の凹部や４個の分割凹部が形成されていても、接着剤の粘度や注入量、あるいは、対物レンズのフランジ側面とレンズホルダのレンズ挿入穴の側壁との隙間の広狭等によっては、凹部からあふれ出た接着剤が凹部に隣接する円環部の平面に拡散したり、接着剤の注入箇所直下の凹部に流れずに直接に注入箇所の斜め下方に位置する円環部の平面に拡散したりするおそれがある。
【００１１】
本発明は、上述した事情に鑑みてなされたものであり、上述のような課題を解決することができるレンズホルダ、対物レンズ駆動装置、光ヘッド及び光記録再生装置を提供することを目的としている。
【課題を解決するための手段】
【００１２】
上記課題を解決するために、請求項１記載の発明は、レンズ曲面の外周にフランジが形成された対物レンズが搭載され、接着剤により固着されるレンズホルダに係り、前記対物レンズの前記フランジの下面が当接されるレンズ搭載面が形成されたレンズ搭載部と、前記接着剤が塗布される接着剤塗布部とを有し、前記レンズ搭載部と前記接着剤塗布部とは、少なくとも前記レンズ搭載面の位置では接続されていないことを特徴としている。
【００１３】
また、請求項２記載の発明は、請求項１記載のレンズホルダに係り、前記レンズ搭載部は、前記対物レンズが挿入されるレンズ挿入穴の周囲に複数形成されていることを特徴としている。
また、請求項３記載の発明は、請求項２記載のレンズホルダに係り、前記接着剤塗布部は、前記レンズ挿入穴の周囲に形成された複数のレンズ搭載部の間に複数形成されていることを特徴としている。
【００１４】
また、請求項４記載の発明は、請求項３記載のレンズホルダに係り、前記接着剤塗布部は、等間隔に形成されていることを特徴としている。
また、請求項５記載の発明は、請求項１乃至４のいずれかに記載のレンズホルダに係り、前記接着剤塗布部は、前記対物レンズを構成する前記フランジの下面が前記レンズ搭載面に当接した状態において、前記レンズ挿入穴に対向した側面のうち上面となす辺及びその近傍のみが、前記フランジの側面に対向する部分と当接又は近接するように形成されていることを特徴としている。
【００１５】
また、請求項６記載の発明に係る対物レンズ駆動装置は、請求項１乃至５のいずれかに記載のレンズホルダを備えることを特徴としている。
また、請求項７記載の発明に係る光ヘッドは、請求項６記載の対物レンズ駆動装置を備えることを特徴としている。
また、請求項８記載の発明に係る光記録再生装置は、請求項７記載の光ヘッドを備えることを特徴としている。
【発明の効果】
【００１６】
本発明によれば、請求項１記載の発明に係るレンズホルダは、レンズ曲面の外周にフランジが形成された対物レンズが搭載され、接着剤により固着されるレンズホルダに係り、前記対物レンズの前記フランジの下面が当接されるレンズ搭載面が形成されたレンズ搭載部と、前記接着剤が塗布される接着剤塗布部とを有し、前記レンズ搭載部と前記接着剤塗布部とは、少なくとも前記レンズ搭載面の位置では接続されていない。従って、特に複雑な形状とすることなく、接着剤の対物レンズを構成するフランジの下面とレンズホルダのレンズ搭載面との間隙への入り込みを完全に防止することができる。
【００１７】
また、本発明によれば、請求項６記載の発明に係る対物レンズ駆動装置は、請求項１乃至５のいずれかに記載のレンズホルダを備えている。従って、この対物レンズ駆動装置では、対物レンズを構成するフランジの下面に接着剤が入り込むことがない。これにより、周囲温度の変化又は、この対物レンズ駆動装置を用いて構成した光ヘッド自体の温度変化に起因する接着剤の膨張又は収縮による影響を受けず、対物レンズの姿勢を一定に保持することができる。よって、光ヘッドの信頼性が向上し、光ヘッド全体の光学的収差の発生を低く抑えることができる。
【００１８】
また、本発明によれば、請求項７記載の発明に係る光ヘッドは、請求項６記載の対物レンズ駆動装置を備えている。従って、この光ヘッドでは、周囲温度の変化又は光ヘッド自体の温度変化に起因する接着剤の膨張又は収縮による影響を受けず、対物レンズの姿勢を一定に保持することができる。これにより、光ヘッドの信頼性が向上し、光ヘッド全体の光学的収差の発生を低く抑えることができる。
【００１９】
また、本発明によれば、請求項８記載の発明に係る光記録再生装置は、請求項７記載の光ヘッドを備えている。従って、この光記録再生装置は、周囲温度又は光ヘッド自体の温度が急激に変化した場合であっても、光記録媒体にデータの記録又は再生を行うことができる。
【発明を実施するための最良の形態】
【００２０】
実施の形態１．
図１は、本発明の実施の形態１に係るレンズホルダ１の構成を示す概略斜視図、図２は、図１に示すレンズホルダ１の平面図、図３は、図２のＡ−Ａ'断面図、図４は、対物レンズ２の断面図、図５は、図２に示すレンズホルダ１に図４に示す対物レンズ２が置かれた状態を示す平面図、図６は、図５のＡ−Ａ'断面図である。
【００２１】
対物レンズ２は、オレフィン系樹脂（例えば、シクロオレフィン）、アクリル系樹脂（例えば、ＰＭＭＡ）、メタクリル系樹脂を原料として射出成形や押出成形により一体に形成されている。また、対物レンズ２の中には、光学ガラスを原料としてプリフォームを用いたモールド成形により形成されているものもある。対物レンズ２は、全体形状が略円盤状を呈しており、その下面２ａはレンズ面を形成する球面又は非球面の凸曲面である。対物レンズ２の下面２ａの外周には、円環状のフランジ（外輪部）２ｂが設けられている。
【００２２】
レンズホルダ１は、軽量かつ高剛性な合成樹脂を原料として射出成形や押出成形により一体に形成されている。合成樹脂としては、例えば、液晶ポリマー（ＬＣＰ）、ポリフェニレンサルファイド（ＰＰＳ）等がある。この例のレンズホルダ１は、上記合成樹脂をグラスファイバーやカーボンで剛性を強化したものを用いても良い。
【００２３】
レンズホルダ１は、全体形状が略立方体形状を呈しており、下面部が開口し、かつ、中空である。レンズホルダ１は、レンズ搭載領域１１と、コイル取付領域１２及び１３と、ワイヤー取付領域１４及び１５とから概略構成されている。レンズ搭載領域１１は、対物レンズ２のフランジ２ｂと共に対物レンズ２の光軸方向の位置決めを行うためのレンズ搭載部２１〜２４と、対物レンズ２をレンズホルダ１に固着するための接着剤（図示略）が塗布される接着剤塗布部２５〜２８と、対物レンズ２が挿入されるレンズ挿入穴２９と、内径部分に形成され、入射される光ビームを対物レンズ２の有効径に絞るアパーチャ３０とから構成されている。
【００２４】
レンズ搭載部２１〜２４は、全体形状が略扇形状を呈しており、レンズ挿入穴２９の周囲に、レンズ挿入穴２９の中心に関して隣接するものが互いに対称となる位置に形成されている。レンズ搭載部２１〜２４は、それぞれレンズ搭載面２１ａ〜２４ａと、レンズガイド２１ｂ〜２４ｂとから構成されている。レンズ搭載面２１ａ〜２４ａは、対物レンズ２が置かれることにより対物レンズ２のフランジ２ｂと共にそれぞれ上記対物レンズ２の光軸方向の位置決めを行うためのものである。レンズガイド２１ｂ〜２４ｂは、それぞれ対応するレンズ搭載面２１ａ〜２４ａの外側の円弧から微少な距離を隔てて、対応するレンズ搭載面２１ａ〜２４ａを囲むように立ち上がり、対物レンズ２が置かれる際に、対物レンズ２のフランジ２ｂを案内する。
【００２５】
接着剤塗布部２５〜２８は、全体形状が略蒲鉾形状を呈しており、レンズ挿入穴２９の周囲に形成されたレンズ搭載部２１〜２４の間であって、レンズ搭載部２１〜２４とはそれぞれ独立して、レンズ挿入穴２９の中心に関して隣接するものが互いに対称となる位置に形成されている。接着剤塗布部２５は、対物レンズ２を構成するフランジ２ｂの下面２ｂｂがレンズ搭載面２１ａ〜２４ａに当接した状態において、レンズ挿入穴２９に対向した側面２５ａのうち、上面２５ｂとなす辺２５ｃ及びその極近傍のみが、対物レンズ２を構成するフランジ２ｂの側面２ｂａ（図６参照）と当接又は近接するに過ぎず、上面２５ｂがフランジ２ｂの下面２ｂｂ（図６参照）と当接することはない。
【００２６】
同様に、接着剤塗布部２６〜２８は、対物レンズ２を構成するフランジ２ｂの下面２ｂｂがレンズ搭載面２１ａ〜２４ａに当接した状態において、レンズ挿入穴２９に対向したそれぞれの側面２６ａ〜２８ａのうち、対応した上面２６ｂ〜２８ｂとなす各辺２６ｃ〜２８ｃ及びそれぞれの極近傍のみが、対物レンズ２を構成するフランジ２ｂの側面２ｂａ（図６参照）のそれぞれに対向する部分と当接又は近接するに過ぎず、各上面２６ｂ〜２８ｂがフランジ２ｂの下面２ｂｂ（図６参照）と当接することはない。
【００２７】
レンズホルダ１において、コイル取付領域１２及び１３は、後に実施の形態２において図１０を参照して説明するように、レンズ挿入穴２９の中心に関して対称となる位置に、それぞれ２個のフォーカシング用のコイル３１と１個のトラッキング用のコイル３２とが固定される。また、レンズホルダ１の外周面には、後に実施の形態２において図１０を参照して説明するように、チルト用のコイル３９が巻回される。さらに、ワイヤー取付領域１４及び１５は、後に実施の形態２において図１０を参照して説明するように、導電性弾性体からなり、可撓性を有する６本のサスペンションワイヤー３３の一端側がそれぞれ半田付け固定される。
【００２８】
次に、上記構成のレンズホルダ１に対物レンズ２を固定する方法について説明する。まず、レンズホルダ１のレンズ挿入穴２９に対物レンズ２を挿入すると、対物レンズ２のフランジ２ｂがレンズガイド２１ｂ〜２４ｂにより案内されつつ、対物レンズ２の下面２ａがレンズホルダ１のアパーチャ３０の中に入り、対物レンズ２を構成するフランジ２ｂの下面２ｂｂが、レンズホルダ１を構成するレンズ搭載部２１〜２４のそれぞれのレンズ搭載面２１ａ〜２４ａと当接することにより、レンズホルダ１に対する対物レンズ２の位置が決まる。
【００２９】
この場合、接着剤塗布部２５〜２８を構成する、レンズ挿入穴２９に対向したそれぞれの側面２５ａ〜２８ａのうち、対応した上面２５ｂ〜２８ｂとなす各辺２５ｃ〜２８ｃの及びそれぞれの極近傍のみが、対物レンズ２を構成するフランジ２ｂの側面２ｂａのそれぞれに対向する部分と当接又は近接するに過ぎず、各上面２５ｂ〜２８ｂがフランジ２ｂの下面２ｂｂと当接することはない。
【００３０】
次に、図７及び図８に示すように、接着剤塗布部２５〜２８のそれぞれの上面２５ｂ〜２８ｂと、対物レンズ２を構成するフランジ２ｂの側面２ｂａとで形成される領域に接着剤３をそれぞれ塗布する。
【００３１】
ここで、合成樹脂からなる対物レンズ２をレンズホルダ１に固定する際に用いる接着剤３の主な性質の一例について説明する。接着剤３は、例えば、主成分が変性アクリレートである紫外線硬化樹脂であり、コーンプレート型粘度計で測定した粘度は１１，５００±２，５００ｍｐａ・ｓ、液比重は１．００±０．１０（ＪＩＳ−Ｋ−６８３３，２３±２℃）である。また、接着剤３は、例えば、ショアＡ硬度が５０±５、ガラス転移点Ｔｇが−３５℃である。ショアＡ硬度とは、ＪＩＳ  Ｋ−７２１５（２３±３℃）のタイプＡデュロメータで測定された硬度をいう。
【００３２】
接着剤３の塗布量は、例えば、０．１２±０．０２ｍｇとする。この場合、接着剤３の塗布量が多く、例えば、接着剤塗布部２５の上面２５ｂと対物レンズ２を構成するフランジ２ｂの側面２ｂａとで形成される領域に接着剤３が留まり切れないと、接着剤塗布部２５の側面を垂れ下がるが、フランジ２ｂの下面２ｂｂに回り込むことはない。これは、以下に示す理由による。
【００３３】
即ち、上記したように、接着剤塗布部２５を構成する、レンズ挿入穴２９に対向した側面２５ａのうち、上面２５ｂとなす辺２５ｃ及びその極近傍のみが、対物レンズ２を構成するフランジ２ｂの側面２ｂａと当接又は近接するに過ぎず、上面２５ｂがフランジ２ｂの下面２ｂｂと当接することはない。つまり、本発明の実施の形態１によれば、接着剤塗布部２５〜２８とレンズ搭載部２１〜２４とは完全に分断されているため、接着剤塗布部２５〜２８のそれぞれの近傍には、接着剤塗布部２５〜２８のいずれかからあふれ出た接着剤３が拡散していくおそれがあるレンズ搭載面自体が存在しない。従って、接着剤塗布部２５の側面を垂れ下がった余分な接着剤３は、接着剤塗布部２５の側面をそのまま垂れ下がり、フランジ２ｂの下面２ｂｂに及ぶことはないのである。
【００３４】
このように、本発明の実施の形態１によれば、レンズホルダ１を構成するレンズ搭載領域１１の接着剤塗布部２５〜２８は、レンズ搭載部２１〜２４とはそれぞれ独立して、レンズ挿入穴２９の中心に関して隣接するものが互いに対称となる位置に形成されている。従って、上記した特許文献１に記載された様々な工夫を施すことなく、接着剤３の対物レンズ２を構成するフランジ２ｂの下面２ｂｂとレンズホルダ１のレンズ搭載面２１ａ〜２４ａとの間隙への入り込みを完全に防止することができる。
【００３５】
従って、本発明の実施の形態１によれば、たとえレンズホルダ１と対物レンズ２との接着強度を満たすに十分な塗布量を超えて接着剤３が塗布された場合であっても、フランジ２ｂの下面２ｂｂとレンズホルダ１のレンズ搭載面２１ａ〜２４ａとの間隙へ接着剤３が入り込むことはない。これにより、上記構成のレンズホルダ１に対物レンズ２を接着剤３で固着した後、光ヘッドを作製した場合、周囲温度の変化又は光ヘッド自体の温度変化に起因する接着剤３の膨張又は収縮による影響を受けず、対物レンズ２の姿勢を一定に保持することができる。これにより、光ヘッドの信頼性が向上し、光ヘッド全体の光学的収差の発生を低く抑えることができる。
【００３６】
実施の形態２．
図９は、本発明の実施の形態２に係る対物レンズ駆動装置の構成を示す概略斜視図である。この例の対物レンズ駆動装置は、上述した実施の形態１で説明した構成を有するレンズホルダ１に対物レンズ２が接着剤３で固着されているとともに、図１０に示すように、レンズホルダ１を構成するコイル取付領域１２及び１３には、対物レンズ２の中心に関して対称となる位置に、それぞれ２個のフォーカシング用のコイル３１と１個のトラッキング用のコイル３２とが固定されている。なお、図１０においては、コイル取付領域１３のコイル３２のうち、ワイヤー取付領域１５の側に配置されたコイル３２は図示していない。コイル３１及び３２は、例えば、ＦＰ（ファインパターン）コイルからなる。
【００３７】
また、レンズホルダ１の外周面には、チルト用のコイル３９が巻回されている。さらに、レンズホルダ１を構成するワイヤー取付領域１４及び１５には、導電性弾性体からなり、可撓性を有するサスペンションワイヤー３３の一端側がそれぞれ３本ずつ所定間隔を隔てて半田付け固定されている。サスペンションワイヤー３３の各他端側は、ベース基板３４に取り付けられたワイヤーベース３５の所定位置にそれぞれ固定されている。これにより、レンズホルダ１は、サスペンションワイヤー３３を介してベース基板３４及びワイヤーベース３５に片持ち支持され、ヨークベース３６、ワイヤーベース３５、マグネット３７及びベース基板３４を含む固定部に対して相対変位可能に弾性的に支持されている。
【００３８】
また、６本のサスペンションワイヤー３３の一端には、それぞれフォーカシング用のコイル３１、トラッキング用のコイル３２及びチルト用のコイル３９のそれぞれの一端が半田付けされて電気的に接続されている。一方、６本のサスペンションワイヤー３３の他端は、図示せぬレンズ駆動回路とそれぞれ電気的に接続されている。即ち、サスペンションワイヤー３３は、レンズホルダ１を支持するための弾性体（支持体）としての機能と、各コイル３１、３２及び３９への給電のためのリード線としての機能とを併せて有している。
【００３９】
なお、サスペンションワイヤー３３は、板バネ、コイルスプリング、ゴム等の他の弾性体であっても良い。ヨークベース３６上には、２つのヨーク３８が高さ方向（フォーカス調整方向）に延伸して立設されており、それぞれ近接して立設されたマグネット３７と磁気回路を構成している。
【００４０】
このように、本発明の実施の形態２によれば、上記した実施の形態１に係るレンズホルダ１を用いて対物レンズ駆動装置を構成している。従って、この対物レンズ駆動装置では、対物レンズ２を構成するフランジ２ｂの下面２ｂｂに接着剤３が入り込むことがない。これにより、周囲温度の変化又は、この対物レンズ駆動装置を用いて構成した光ヘッド自体の温度変化に起因する接着剤３の膨張又は収縮による影響を受けず、対物レンズ２の姿勢を一定に保持することができる。よって、光ヘッドの信頼性が向上し、光ヘッド全体の光学的収差の発生を低く抑えることができる。
【００４１】
実施の形態３．
図１１は、本発明の実施の形態３に係る光記録再生装置の構成を示す概略図である。この光記録再生装置は、上記した実施の形態２に係る対物レンズ駆動装置を用いた光ヘッド４１と、スピンドルモータ４２と、コントローラ４３と、レーザ駆動回路４４と、レンズ駆動回路４５とから概略構成されている。
【００４２】
スピンドルモータ４２は、コントローラ４３の制御の下、光ディスク４６を回転駆動する。コントローラ４３は、光ヘッド４１から供給されるフォトディテクタ検出信号に基づいて、スピンドルモータ４２、レーザ駆動回路４４及びレンズ駆動回路４５を制御する。レーザ駆動回路４４は、コントローラ４３の制御の下、光ヘッド４１を構成する光源（図示略）であるレーザダイオードを駆動するためのレーザ駆動信号を生成し、光ヘッド４１に供給する。レンズ駆動回路４５は、コントローラ４３の制御の下、光ヘッド４１を構成する対物レンズ１２（例えば、図９参照）のフォーカシング、トラッキング及びチルトを制御するためのレンズ駆動信号を生成し、光ヘッド４１に供給する。
【００４３】
コントローラ４３は、フォーカスサーボ追従回路４７と、トラッキングサーボ追従回路４８と、スキュー調整回路４９と、レーザコントロール回路５０とを有している。フォーカスサーボ追従回路４７は、光ヘッド４１から供給されるフォトディテクタ検出信号に基づいて、回転している光ディスク４６の情報記録面に光ヘッド４１から出射された光ビームのフォーカスをかけるためのフォーカスサーボ信号を生成し、レンズ駆動回路４５に供給する。
【００４４】
トラッキングサーボ追従回路４８は、光ヘッド４１から供給されるフォトディテクタ検出信号に基づいて、光ディスク４６の偏芯している信号トラックに対して、光ヘッド４１から出射された光ビームのビームスポットを追従させるためのトラッキングサーボ信号を生成し、レンズ駆動回路４５に供給する。スキュー調整回路４９は、光ヘッド４１から供給されるフォトディテクタ検出信号に基づいて、光ヘッド４１を構成する対物レンズ１２（例えば、図９参照）をラジアル方向やタンジェンシャル方向に傾斜させるためのスキュー調整信号を生成し、レンズ駆動回路４５に供給する。レーザコントロール回路５０は、光ヘッド４１から供給されるフォトディテクタ検出信号から抽出された光ディスク４６に記録されている記録条件設定情報に基づいて、適切なレーザ駆動信号の生成を行う。
【００４５】
このように、本発明の実施の形態３によれば、上記した実施の形態２に係る対物レンズ駆動装置を用いて光記録再生装置を構成している。従って、光記録再生装置は、周囲温度又は光ヘッド自体の温度が急激に変化した場合であっても、光記録媒体にデータの記録又は再生を行うことができる。
【００４６】
実施の形態４．
上述の実施の形態１〜３では、光源が１個のみ設けられている光ヘッドや光ヘッドが１個のみ設けられている光記録再生装置の例を示したが、これに限定されない。本発明は、光源が複数個設けられている光ヘッドや光ヘッドが複数個設けられている光記録再生装置にも適用することができる。このような光ヘッド及び光記録再生装置は、例えば、特開２００４−２９５９８２号公報に開示されている。
【００４７】
以上、この実施の形態を図面を参照して詳述してきたが、具体的な構成はこの実施の形態に限られるものではなく、本発明の要旨を逸脱しない範囲の設計の変更等があっても本発明に含まれる。
例えば、上述の実施の形態１では、レンズホルダ１を構成するレンズ搭載部１１のレンズ挿入穴２９の中心に関して隣接するものが互いに対称となる位置に４個の接着剤塗布部２５〜２８を形成し、それぞれに接着剤３を例えば、０．１２±０．０２ｍｇだけ塗布する例を示したが、接着剤塗布部の数及び設置位置、接着剤３の塗布量はこれらに限定されない。以下、その理由を説明する。
【００４８】
接着剤３は、対物レンズ２をレンズホルダ１に固定するために塗布され硬化する際に収縮するとともに、上記したように、光記録再生装置の使用時に周囲温度の変化及び光ヘッド自体の温度変化により、膨張又は収縮して、その形状を変化させる。複数の接着剤塗布部をアンバランスな位置に設置したり、接着剤の塗布量に差異があったりすると、上記した接着剤の膨張又は収縮により対物レンズの姿勢が変化してしまう。これにより、上記したように、レーザダイオードから出射される光ビームが光記録媒体のデータ記録面に正しく収束されず、光記録媒体にデータの記録又は再生を行うことができなくなるおそれがある。
【００４９】
そこで、原則的には、複数の接着剤塗布部をレンズ挿入穴２９の周囲に接着剤の応力のバランスを考えて等間隔に設けるとともに、接着剤を、対物レンズ２を構成するフランジ２ｂの周囲に塗布され硬化した状態において接着剤の応力の合力が打ち消されるように、各接着剤塗布部に均一に塗布することが望ましい。もっとも、本発明の目的は、接着剤が膨張又は収縮した場合でも光記録媒体にデータの記録又は再生が行えるようにすることであるから、接着剤の膨張時又は収縮時に光記録媒体にデータの記録又は再生が行えれば複数の接着剤塗布部を等間隔に設けなくても良い。また、対物レンズ２のフランジ２ｂやレンズホルダ１の構造上、複数の接着剤塗布部を等間隔に設けることができない場合でも、接着剤塗布部への接着剤の塗布量を調整する（例えば、接着剤塗布部ごとに接着剤の塗布量を変更する等）ことにより、対物レンズ２の姿勢を保持するようにしても良い。
【００５０】
また、上述の実施の形態１では、レンズホルダ１のレンズ挿入穴２９に対物レンズ２を挿入した際、対物レンズ２の下面２ａがレンズホルダ１のアパーチャ３０の中に入る例を示したが、これに限定されない。即ち、レンズホルダ又は対物レンズの構造によっては、対物レンズの下面がレンズホルダのアパーチャの中に入らなくても良い。
【図面の簡単な説明】
【００５１】
【図１】本発明の実施の形態１に係るレンズホルダの構成を示す概略斜視図である。
【図２】図１に示すレンズホルダ１の平面図である。
【図３】図２のＡ−Ａ'断面図である。
【図４】対物レンズの断面図である。
【図５】図２に示すレンズホルダに図４に示す対物レンズが置かれた状態を示す平面図である。
【図６】図５のＡ−Ａ'断面図である。
【図７】図２に示すレンズホルダに図４に示す対物レンズが固着された状態を示す平面図である。
【図８】図７のＡ−Ａ'断面図である。
【図９】本発明の実施の形態２に係る対物レンズ駆動装置の構成を示す概略斜視図である。
【図１０】図９に示す対物レンズ駆動装置の組立途中の１段階を示す概略斜視図である。
【図１１】本発明の実施の形態３に係る光記録再生装置の構成を示す概略図である。
【符号の説明】
【００５２】
１  レンズホルダ
２  対物レンズ
２ａ  下面
２ｂ  フランジ
２ｂａ，２５ａ〜２８ａ  側面
２ｂｂ  下面
３  接着剤
１１  レンズ搭載領域
１２，１３  コイル取付領域
１４，１５  ワイヤー取付領域
２１〜２４  レンズ搭載部
２１ａ〜２４ａ  レンズ搭載面
２１ｂ〜２４ｂ  レンズガイド
２５〜２８  接着剤塗布部
２５ｂ〜２８ｂ  上面
２５ｃ〜２８ｃ  辺
２９  レンズ挿入穴
３０  アパーチャ
３１，３２，３９  コイル
３３  サスペンションワイヤー
３４  ベース基板
３５  ワイヤーベース
３６  ヨークベース
３７  マグネット
３８  ヨーク
４１  光ヘッド
４２  スピンドルモータ
４３  コントローラ
４４  レーザ駆動回路
４５  レンズ駆動回路
４６  光ディスク
４７  フォーカスサーボ追従回路
４８  トラッキングサーボ追従回路
４９  スキュー調整回路
５０  レーザコントロール回路
【図１】
2007184060.tif 000003
【図２】
2007184060.tif 000004
【図３】
2007184060.tif 000005
【図４】
2007184060.tif 000006
【図５】
2007184060.tif 000007
【図６】
2007184060.tif 000008
【図７】
2007184060.tif 000009
【図８】
2007184060.tif 000010
【図９】
2007184060.tif 000011
【図１０】
2007184060.tif 000012
【図１１】
2007184060.tif 000013